(57)【要約】【課題】リレーノードＲＮと無線基地局ＤｅＮＢとの間の距離も変化する場合であっても、効率的に、各移動局ＵＥにおける信号の送信タイミングを調整する。【解決手段】本発明に係る移動通信方法は、移動局ＵＥが、リレーノードＲＮから個別の送信タイミング調整情報ＴＡｄを取得する工程Ａと、移動局ＵＥが、リレーノードＲＮから報知されている共通の送信タイミング調整情報ＴＡｃを取得する工程Ｂと、移動局ＵＥが、個別の送信タイミング調整情報ＴＡｄ及び共通の送信タイミング調整情報ＴＡｃに基づいて、リレーノードＲＮに対する信号の送信タイミングを調整する工程Ｃとを有する。【選択図】図１
2011142593.tif 000002
【特許請求の範囲】
【請求項１】
移動局が、リレーノードから個別の送信タイミング調整情報を取得する工程Ａと、
前記移動局が、前記リレーノードから報知されている共通の送信タイミング調整情報を取得する工程Ｂと、
前記移動局が、前記個別の送信タイミング調整情報及び前記共通の送信タイミング調整情報に基づいて、前記リレーノードに対する信号の送信タイミングを調整する工程Ｃとを有することを特徴とする移動通信方法。
【請求項２】
前記工程Ｃにおいて、前記移動局は、前記リレーノードに対する信号の送信タイミングを、基準タイミングよりも、前記個別の送信タイミング調整情報によって指定される時間及び前記共通の送信タイミング調整情報によって指定される時間の和だけ早いタイミングとなるように調整することを特徴とする請求項１に記載の移動通信方法。
【請求項３】
前記移動局が、第１タイマが満了するまでに、前記個別の送信タイミング調整情報を取得することができなかった場合に、該移動局と前記リレーノードとの間の上りリンクの同期外れを検出する工程と、
前記移動局が、前記第１タイマとは別の第２タイマが満了するまでに、前記共通の送信タイミング調整情報を取得することができなかった場合に、該移動局と前記リレーノードとの間の上りリンクの同期外れを検出する工程とを有することを特徴とする請求項１に記載の移動通信方法。
【請求項４】
前記第１タイマは、前記個別の送信タイミング調整情報が取得された際にリセットされ、前記第２タイマは、前記共通の送信タイミング調整情報が取得された際にリセットされることを特徴とする請求項３に記載の移動通信方法。
【請求項５】
リレーノードから個別の送信タイミング調整情報を取得し、該リレーノードから報知されている共通の送信タイミング調整情報を取得するように構成されている取得部と、
前記個別の送信タイミング調整情報及び前記共通の送信タイミング調整情報に基づいて、前記リレーノードに対する信号の送信タイミングを調整するように構成されている送信部とを具備することを特徴とする移動局。
【請求項６】
前記送信部は、前記リレーノードに対する信号の送信タイミングを、基準タイミングよりも、前記個別の送信タイミング調整情報によって指定される時間及び前記共通の送信タイミング調整情報によって指定される時間の和だけ早いタイミングとなるように調整することを特徴とする請求項５に記載の移動局。
【請求項７】
前記移動局と前記リレーノードとの間の上りリンクの同期状態を管理するように構成されている状態管理部を更に具備し、
前記取得部が、第１タイマが満了するまでに、前記個別の送信タイミング調整情報を取得することができなかった場合に、前記状態管理部は、前記移動局と前記リレーノードとの間の上りリンクの同期外れを検出するように構成されており、
前記取得部が、前記第１タイマとは別の第２タイマが満了するまでに、前記共通の送信タイミング調整情報を取得することができなかった場合に、前記状態管理部は、前記移動局と前記リレーノードとの間の上りリンクの同期外れを検出するように構成されていることを特徴とする請求項５に記載の移動局。
【請求項８】
前記第１タイマは、前記個別の送信タイミング調整情報が取得された際にリセットされ、前記第２タイマは、前記共通の送信タイミング調整情報が取得された際にリセットされることを特徴とする請求項７に記載の移動局。
【請求項９】
無線基地局から信号を受信している期間と移動局に対して信号を送信している期間とが重ならないように調整するリレーノードであって、
前記リレーノード配下のセルで通信中の移動局における信号の送信タイミングを共通に調整するための送信タイミング調整情報を報知するように構成されている共通送信タイミング調整情報送信部と、
前記リレーノード配下のセルで通信中の移動局における信号の送信タイミングを個別に調整するための送信タイミング調整情報を送信するように構成されている個別送信タイミング調整情報送信部とを具備することを特徴とするリレーノード。
【発明の詳細な説明】
【技術分野】
【０００１】
本発明は、移動通信方法、移動局及びリレーノードに関する。
【背景技術】
【０００２】
３ＧＰＰで仕様化が進められているＬＴＥ-Ａｄｖａｎｃｅ方式の移動通信システムでは、図１に示すように、Ｕｎインターフェイスを介して無線基地局ＤｅＮＢに接続し、Ｕｕインターフェイスを介して複数の移動局ＵＥ＃１乃至ＵＥ＃３に接続することができるリレーノードＲＮを設けることができる。
【０００３】
また、無線基地局ＤｅＮＢは、Ｕｕインターフェイスを介して他の移動局ＵＥとはリレーノードＲＮを介さずに直接通信を行うことができる。
【０００４】
かかるリレーノードＲＮは、干渉を回避するために、Ｕｎインターフェイスを介して無線基地局ＤｅＮＢから信号を受信している期間には、Ｕｕインターフェイスを介して移動局ＵＥ＃１乃至ＵＥ＃３に対して信号を送信することができない。
【０００５】
同様に、かかるリレーノードＲＮは、Ｕｕインターフェイスを介して移動局ＵＥ＃１乃至ＵＥ＃３に対して信号を送信している期間には、Ｕｎインターフェイスを介して無線基地局ＤｅＮＢから信号を受信することができない。
【０００６】
また、複数の移動局ＵＥ＃１乃至ＵＥ＃３によって送信された信号は、干渉を回避するために、所定時間範囲内で、リレーノードＲＮに到着する必要がある。このため、リレーノードＲＮは、送信タイミング調整情報ＴＡ（Ｔｉｍｉｎｇ  Ａｄｖａｎｃｅ）を用いて、各移動局ＵＥ＃１乃至ＵＥ＃３における信号の送信タイミングを調整することができる。
【０００７】
ＬＴＥ方式やＬＴＥ-Ａｄｖａｎｃｅ方式の移動通信システムでは、複数の移動局ＵＥ間の上り信号の直交性を保つため、無線基地局は、所定時間範囲内で各移動局ＵＥからの上り信号を受信できるように、各移動局ＵＥにおける信号の送信タイミングを調整する制御を行っている。
【０００８】
また、移動局ＵＥは、無線基地局から受信した下り信号の受信タイミングに基づいて、無線基地局から指示された送信タイミング調整情報ＴＡに従って、送信タイミングを調整して上り信号を送信している。
【０００９】
リレーノードＲＮも、無線基地局ＤｅＮＢに直接Ｕｕインターフェイスで接続する他の移動局ＵＥとの間で上り回線を共有するため、無線基地局ＤｅＮＢが所定時間範囲内でリレーノードＲＮからの上り信号を受信できるように、無線基地局ＤｅＮＢからの送信タイミング調整情報ＴＡに従って、送信タイミングを調整して上り信号を送信する必要がある。
【００１０】
かかる送信タイミングの調整量は、伝搬遅延に依存するため、一般に送受信間の距離に依存する。したがって、モビリティに伴い、かかる送信タイミングを調整する必要がある。
【先行技術文献】
【非特許文献】
【００１１】
【非特許文献１】３ＧＰＰ  ＴＳ３６.３２１  ｖ９.１.０
【非特許文献２】３ＧＰＰ  ＴＲ３６.８１４  ｖ１.５.０
【非特許文献３】３ＧＰＰ  ＴＲ３６.８０６  ｖ９.０.０
【発明の概要】
【発明が解決しようとする課題】
【００１２】
かかる移動通信システムでは、リレーノードＲＮと各移動局ＵＥ＃１乃至ＵＥ＃３との間の距離だけでなく、リレーノードＲＮと無線基地局ＤｅＮＢとの間の距離も変化する可能性がある。
【００１３】
この場合、リレーノードＲＮにおける信号の送信タイミングは、無線基地局ＤｅＮＢからの送信タイミング調整情報ＴＡに従って調整される必要がある。
【００１４】
しかしながら、リレーノードＲＮは、Ｕｎインターフェイスにおける信号の送受信タイミングとＵｕインターフェイスにおける信号の送受信タイミングとで時分割する必要があるため、Ｕｎインターフェイスにおける上り信号の送信タイミングを変更した場合、Ｕｕインターフェイスにおける上り信号の受信タイミングも合わせて変更する必要がある。すなわち、リレーノードＲＮ配下の全移動局ＵＥに対して、一斉に送信タイミング調整をかける必要が生じる。
【００１５】
しかしながら、現段階では、かかる移動通信システムにおいて、このような状況を考慮して、各移動局ＵＥ＃１乃至ＵＥ＃３における信号の送信タイミングを調整する方法について検討されていない。
【００１６】
そこで、本発明は、上述の課題に鑑みてなされたものであり、リレーノードＮと無線基地局ＤｅＮＢとの間の距離も変化する場合であっても、効率的に、各移動局ＵＥ＃１乃至ＵＥ＃３における信号の送信タイミングを調整することができる移動通信方法、移動局及びリレーノードを提供することを目的とする。
【課題を解決するための手段】
【００１７】
本発明の第１の特徴は、移動通信方法であって、移動局が、リレーノードから個別の送信タイミング調整情報を取得する工程Ａと、前記移動局が、前記リレーノードから報知されている共通の送信タイミング調整情報を取得する工程Ｂと、前記移動局が、前記個別の送信タイミング調整情報及び前記共通の送信タイミング調整情報に基づいて、前記リレーノードに対する信号の送信タイミングを調整する工程Ｃとを有することを要旨とする。
【００１８】
本発明の第２の特徴は、移動局であって、リレーノードから個別の送信タイミング調整情報を取得し、該リレーノードから報知されている共通の送信タイミング調整情報を取得するように構成されている取得部と、前記個別の送信タイミング調整情報及び前記共通の送信タイミング調整情報に基づいて、前記リレーノードに対する信号の送信タイミングを調整するように構成されている送信部とを具備することを要旨とする。
【００１９】
本発明の第３の特徴は、無線基地局から信号を受信している期間と移動局に対して信号を送信している期間とが重ならないように調整するリレーノードであって、前記リレーノード配下のセルで通信中の移動局における信号の送信タイミングを共通に調整するための送信タイミング調整情報を報知するように構成されている共通送信タイミング調整情報送信部と、前記リレーノード配下のセルで通信中の移動局における信号の送信タイミングを個別に調整するための送信タイミング調整情報を送信するように構成されている個別送信タイミング調整情報送信部とを具備することを要旨とする。
【発明の効果】
【００２０】
以上説明したように、本発明によれば、リレーノードＲＮと無線基地局ＤｅＮＢとの間の距離も変化する場合であっても、効率的に、各移動局ＵＥ＃１乃至ＵＥ＃３における信号の送信タイミングを調整することができる移動通信方法、移動局及びリレーノードを提供することができる。
【図面の簡単な説明】
【００２１】
【図１】本発明の第１の実施形態に係る移動通信システムの全体構成図である。
【図２】本発明の第１の実施形態に係るリレーノードの機能ブロック図である。
【図３】本発明の第１の実施形態に係る移動局の機能ブロック図である。
【図４】本発明の第１の実施形態に係る移動局による上り信号の送信タイミングの調整方法について説明するための図である。
【発明を実施するための形態】
【００２２】
（本発明の第１の実施形態に係る移動通信システム）
図１乃至図４を参照して、本発明の第１の実施形態に係る移動通信システムについて説明する。
【００２３】
本実施形態に係る移動通信システムは、ＬＴＥ-Ａｄｖａｎｃｅｄ方式の移動通信システムであって、図１に示すように、無線基地局ＤｅＮＢと、リレーノードＲＮと、複数の移動局ＵＥ＃１乃至ＵＥ＃３とを具備している。
【００２４】
無線基地局ＤｅＮＢとリレーノードＲＮとの間は、Ｕｎインターフェイスによって接続されるように構成されており、リレーノードＲＮと各移動局ＵＥ＃１乃至＃３との間は、Ｕｕインターフェイスによって接続されるように構成されている。
【００２５】
図２に示すように、リレーノードＲＮは、報知情報送信部１０と、Ｕｕインターフェイス部１１と、Ｕｎインターフェイス部１２と、ＴＡ管理部１３とを具備している。
【００２６】
報知情報送信部１０は、リレーノードＲＮ配下のセルにおいて、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｉｔｉｏｎ  Ｂｌｏｃｋ）等の報知情報を送信するように構成されている。
【００２７】
例えば、報知情報送信部１０は、リレーノードＲＮ配下のセルで通信中の移動局ＵＥにおける信号の送信タイミングを共通に調整するための送信タイミング調整情報ＴＡｃを含む報知情報を送信するように構成されている。
【００２８】
Ｕｕインターフェイス部１１は、Ｕｕインターフェイスを介して、各移動局ＵＥ＃１乃至＃３との間で通信を行うように構成されている。
【００２９】
ここで、Ｕｕインターフェイス部１１は、無線基地局ＤｅＮＢから信号を受信していない期間に、ＰＤＳＣＨ（Ｐｈｙｓｉｃａｌ  Ｄｏｗｎｌｉｎｋ  Ｓｈａｒｅｄ  Ｃｈａｎｎｅｌ）やＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＨＩＣＨ（Ｐｈｙｓｉｃａｌ  ＨＡＲＱ  Ｉｎｄｉｃａｔｏｒ  Ｃｈａｎｎｅｌ）を介して、各移動局ＵＥ＃１乃至ＵＥ＃３宛ての信号を送信するように構成されている。
【００３０】
すなわち、Ｕｕインターフェイス部１１は、各移動局ＵＥ＃１乃至ＵＥ＃３に対して信号を送信している期間を、無線基地局ＤｅＮＢから信号を受信している期間と重ならないように調整する。
【００３１】
ここで、Ｕｕインターフェイス部１１は、無線基地局ＤｅＮＢから受信した信号の復号時間や各移動局ＵＥ＃１乃至ＵＥ＃３宛ての信号の生成時間等を考慮して、上述の調整を行うように構成されている。
【００３２】
また、Ｕｕインターフェイス部１１は、各移動局ＵＥ＃１乃至ＵＥ＃３によって送信された信号が所定時間範囲内でリレーノードＲＮに到着することができるように、各移動局ＵＥ＃１乃至ＵＥ＃３に対して個別に送信タイミング調整情報ＴＡｄを割り当てるように構成されている。
【００３３】
Ｕｕインターフェイス部１１は、個別シグナリング等によって、リレーノードＲＮ配下のセルで通信中の移動局ＵＥにおける信号の送信タイミングを個別に調整するための送信タイミング調整情報ＴＡｄを送信するように構成されている。
【００３４】
Ｕｎインターフェイス部１２は、Ｕｎインターフェイスを介して、無線基地局ＤｅＮＢとの間で通信を行うように構成されている。
【００３５】
ここで、Ｕｎインターフェイス部１２は、各移動局ＵＥ＃１乃至ＵＥ＃３から信号を受信していない期間に、ＰＵＳＣＨ（Ｐｈｙｓｉｃａｌ  Ｕｐｌｉｎｋ  Ｓｈａｒｅｄ  Ｃｈａｎｎｅｌ）やＰＵＣＣＨ（Ｐｈｙｓｉｃａｌ  Ｕｐｌｉｎｋ  Ｃｏｎｔｒｏｌ  Ｃｈａｎｎｅｌ）を介して、無線基地局ＤｅＮＢ宛ての信号を送信するように構成されている。
【００３６】
すなわち、Ｕｎインターフェイス部１２は、無線基地局ＤｅＮＢに対して信号を送信している期間を、各移動局ＵＥ＃１乃至ＵＥ＃３から信号を受信している期間と重ならないように調整する。
【００３７】
ここで、Ｕｎインターフェイス部１２は、各移動局ＵＥ＃１乃至ＵＥ＃３から受信した信号の復号時間や無線基地局ＤｅＮＢ宛ての信号の生成時間等を考慮して、上述の調整を行うように構成されている。
【００３８】
ＴＡ管理部１３は、リレーノードＲＮ配下のセルにおいて報知した送信タイミング調整情報ＴＡｃを及び各移動局ＵＥ＃１乃至ＵＥ＃３に対して個別に割り当てた送信タイミング調整情報ＴＡｄを管理するように構成されている。
【００３９】
図３に示すように、移動局ＵＥは、ＴＡ取得部２１と、状態管理部２２と、送信部２３とを具備している。
【００４０】
ＴＡ取得部２１は、Ｕｕインターフェイスを介してリレーノードＲＮから個別シグナリング等によって送信された送信タイミング調整情報ＴＡｄを取得するように構成されている。
【００４１】
また、ＴＡ取得部２１は、リレーノードＲＮによって送信されている報知情報に含まれている送信タイミング調整情報ＴＡｃを取得するように構成されている。ここで、ＴＡ取得部２１は、周期的に、送信タイミング調整情報ＴＡｃを取得するように構成されていてもよい。
【００４２】
状態管理部２２は、移動局ＵＥとリレーノードＲＮとの間の同期状態を管理するように構成されている。
【００４３】
ここで、ＴＡ取得部２１が、所定タイマが満了するまでに、送信タイミング調整情報ＴＡｃ及びＴＡｄを取得することができなかった場合には、状態管理部２２は、移動局ＵＥとリレーノードＲＮとの間の上りリンクの同期外れを検出するように構成されている。
【００４４】
かかる所定タイマは、ＴＡ取得部２１によって送信タイミング調整情報ＴＡｃ及びＴＡｄが受信された際にリセットされる。また、かかる所定タイマの値は、リレーノードＲＮから報知或いは個別制御によって移動局ＵＥに対して設定されている。
【００４５】
また、所定タイマは、送信タイミング調整情報ＴＡｃと送信タイミング調整情報ＴＡｄとで独立なタイマが使用されてもよい。この結果、リレーノードＲＮによって送信タイミング調整情報ＴＡｃ及びＴＡｄが送信される頻度を個別に調整できる。
【００４６】
例えば、リレーノードＲＮがバスに設置された場合、車内の移動局ＵＥとリレーノードＲＮとの間の距離は、バスが移動中はほぼ不変だが、リレーノードＲＮと無線基地局ＤｅＮＢとの間の距離は、著しく変化する。したがって、このような場合は、送信タイミング調整情報ＴＡｃ用の所定タイマの値を短く設定し、送信タイミング調整情報ＴＡｄ用の所定タイマの値を長く設定することで、信号量を削減することができる。
【００４７】
送信部２３は、Ｕｕインターフェイスを介して、リレーノードＲＮに対して、信号を送信するように構成されている。
【００４８】
ここで、送信部２３は、送信タイミング調整情報ＴＡｄ及び送信タイミング調整情報ＴＡｃに基づいて、リレーノードＲＮに対する信号の送信タイミングを調整するように構成されている。
【００４９】
具体的には、図４に示すように、送信部２３は、リレーノードＲＮに対する信号の送信タイミングを、基準タイミングＴよりも、送信タイミング調整情報ＴＡｄによって指定される時間及び送信タイミング調整情報ＴＡｃによって指定される時間の和だけ早いタイミングとなるように調整してもよい。
【００５０】
ここで、送信部２３は、リレーノードＲＮから受信した信号の復号時間やリレーノードＲＮ宛ての信号の生成時間等を考慮して、上述の調整を行うように構成されている。
【００５１】
また、送信部２３は、移動局ＵＥとリレーノードＲＮとの間の上りリンクの同期外れが検出された場合、ＰＲＡＣＨ（Ｐｈｙｓｉｃａｌ  Ｒａｎｄｏｍ  Ａｃｃｅｓｓ  Ｃｈａｎｎｅｌ）を介してリレーノードＲＮに対してＲＡプリアンブルを送信することによって、ランダムアクセス手順を開始するように構成されている。
【００５２】
本発明の第１の実施形態に係る移動通信システムによれば、各移動局ＵＥ＃１乃至ＵＥ＃３が、リレーノードＲＮから取得した送信タイミング調整情報ＴＡｄ及び送信タイミング調整情報ＴＡｃという２種類の送信タイミング調整情報ＴＡを用いて、リレーノードＲＮに対する信号の送信タイミングを調整することができるため、リレーノードＲＮと無線基地局ＤｅＮＢとの間の距離も変化する場合であっても、干渉を回避することができる。
【００５３】
送信タイミング調整情報ＴＡｄを用いるのは、リレーノードＲＮと配下の移動局ＵＥとの間の距離が、移動局ＵＥごとに異なる場合に対応するためで、移動局ＵＥが移動してリレーノードＲＮとの間の距離が変わる場合に対応するためである。
【００５４】
一方、送信タイミング調整情報ＴＡｃを用いるのは、リレーノードＲＮと無線基地局ＤｅＮＢとの間の距離が変わった場合に、リレーノードＲＮ配下の移動局ＵＥに対して一斉に同じ量の送信タイミング調整を行うためである。これにより、各移動局ＵＥに対して個別に送信タイミング調整情報ＴＡｄを送信する必要性を省くことができ、信号量を大幅に削減できる。
【００５５】
以上に述べた本実施形態の特徴は、以下のように表現されていてもよい。
【００５６】
本実施形態の第１の特徴は、移動通信方法であって、移動局ＵＥが、リレーノードＲＮから個別の送信タイミング調整情報ＴＡｄを取得する工程Ａと、移動局ＵＥが、リレーノードＲＮから報知されている共通の送信タイミング調整情報ＴＡｃを取得する工程Ｂと、移動局ＵＥが、個別の送信タイミング調整情報ＴＡｄ及び共通の送信タイミング調整情報ＴＡｃに基づいて、リレーノードＲＮに対する信号の送信タイミングを調整する工程Ｃとを有することを要旨とする。
【００５７】
本実施形態の第１の特徴において、工程Ｃにおいて、移動局ＵＥは、リレーノードＲＮに対する信号の送信タイミングを、基準タイミングＴよりも、個別の送信タイミング調整情報ＴＡｄによって指定される時間及び共通の送信タイミング調整情報ＴＡｃによって指定される時間の和だけ早いタイミングとなるように調整してもよい。
【００５８】
本実施形態の第１の特徴において、移動局ＵＥが、送信タイミング調整情報ＴＡｄ用の所定タイマ（第１タイマ）が満了するまでに、送信タイミング調整情報ＴＡｄを取得することができなかった場合に、移動局ＵＥとリレーノードＲＮとの間の上りリンクの同期外れを検出する工程と、移動局ＵＥが、送信タイミング調整情報ＴＡｄ用の所定タイマとは別の送信タイミング調整情報ＴＡｃ用の所定タイマ（第２タイマ）が満了するまでに、送信タイミング調整情報ＴＡｃを取得することができなかった場合に、移動局ＵＥとリレーノードＲＮとの間の上りリンクの同期外れを検出する工程とを有してもよい。
【００５９】
本実施形態の第１の特徴において、送信タイミング調整情報ＴＡｄ用の所定タイマは、送信タイミング調整情報ＴＡｄが取得された際にリセットされ、送信タイミング調整情報ＴＡｃ用の所定タイマは、送信タイミング調整情報ＴＡｃが取得された際にリセットされてもよい。
【００６０】
本実施形態の第２の特徴は、リレーノードＲＮから個別の送信タイミング調整情報ＴＡｄを取得し、リレーノードＲＮから報知されている共通の送信タイミング調整情報ＴＡｃを取得するように構成されているＴＡ取得部２１と、個別の送信タイミング調整情報ＴＡｄ及び共通の送信タイミング調整情報ＴＡｃに基づいて、リレーノードＲＮに対する信号の送信タイミングを調整するように構成されている送信部２３とを具備することを要旨とする。
【００６１】
本実施形態の第２の特徴において、送信部２３は、リレーノードＲＮに対する信号の送信タイミングを、基準タイミングＴよりも、個別の送信タイミング調整情報ＴＡｄによって指定される時間及び共通の送信タイミング調整情報ＴＡｃによって指定される時間の和だけ早いタイミングとなるように調整してもよい。
【００６２】
本実施形態の第２の特徴において、移動局ＵＥとリレーノードＲＮとの間の上りリンクの同期状態を管理するように構成されている状態管理部２２を更に具備し、取得部２３が、送信タイミング調整情報ＴＡｄ用の所定タイマが満了するまでに、送信タイミング調整情報ＴＡｄを取得することができなかった場合に、状態管理部２２は、移動局ＵＥとリレーノードＲＮとの間の上りリンクの同期外れを検出するように構成されており、取得部２３が、送信タイミング調整情報ＴＡｄ用の所定タイマとは別の送信タイミング調整情報ＴＡｃ用の所定タイマが満了するまでに、送信タイミング調整情報ＴＡｃを取得することができなかった場合に、状態管理部２２は、移動局ＵＥとリレーノードＲＮとの間の上りリンクの同期外れを検出するように構成されていてもよい。
【００６３】
本実施形態の第２の特徴において、送信タイミング調整情報ＴＡｄ用の所定タイマは、送信タイミング調整情報ＴＡｄが取得された際にリセットされ、送信タイミング調整情報ＴＡｃ用の所定タイマは、送信タイミング調整情報ＴＡｃが取得された際にリセットされてもよい。
【００６４】
本実施形態の第３の特徴は、無線基地局ＤｅＮＢから信号を受信している期間と移動局ＵＥに対して信号を送信している期間とが重ならないように調整するリレーノードＲＮであって、リレーノードＲＮ配下のセルで通信中の移動局ＵＥにおける信号の送信タイミングを共通に調整するための送信タイミング調整情報ＴＡｃを報知するように構成されている報知情報送信部１０と、リレーノードＲＮ配下のセルで通信中の移動局ＵＥにおける信号の送信タイミングを個別に調整するための送信タイミング調整情報ＴＡｄを送信するように構成されているＵｕインターフェイス部を具備することを要旨とする。
【００６５】
なお、上述の実施形態では、共通の送信タイミング調整情報ＴＡｃ及び移動局個別の送信タイミング調整情報ＴＡｄの両方を用いた送信タイミング調整方法について説明したが、どちらか一方のみを用いるように構成されていてもよい。どちらを用いるかは、リレーノードＲＮから報知又は個別制御によって移動局ＵＥに指定されてもよい。
【００６６】
特に、共通の送信タイミング調整情報ＴＡｃに対応していない移動局ＵＥが存在した場合は、かかる移動局ＵＥに対しては移動局個別の送信タイミング調整情報ＴＡｄのみを用いるように設定し、共通の送信タイミング調整情報ＴＡｃに対応している移動局ＵＥに対しては共通の送信タイミング調整情報ＴＡｃを用いるように設定してもよい。
【００６７】
ＬＴＥ−Ａｄｖａｎｃｅｄ方式は、ＬＴＥ方式に対するバックワードコンパティビリティを保障する必要があるため、リレーノードＲＮ配下にはＵｕインタフェースを使ってリレーノードＲＮと接続するＬＴＥ方式の移動局ＵＥも存在してよい。かかるＬＴＥ方式の移動局ＵＥは、共通の送信タイミング調整情報ＴＡｃに対応していない場合もある。
【００６８】
また、リレーノードＲＮにおいて、移動局ＵＥが共通の送信タイミング調整情報ＴＡｃに対応しているか否かについて把握し、適用する送信タイミング調整情報を決定するため、移動局ＵＥから、共通の送信タイミング調整情報ＴＡｃへの対応可否に関する情報が、リレーノードＲＮに対して通知されてもよい。
【００６９】
なお、上述の移動局ＵＥや無線基地局ＤｅＮＢやリレーノードＲＮの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＤｅＮＢやリレーノードＲＮ内に設けられていてもよい。また、かかる記憶媒体及びプロセッサは、ディスクリートコンポーネントとして移動局ＵＥや無線基地局ＤｅＮＢやリレーノードＲＮ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７３】
ＲＮ…リレーノード
１０…報知情報送信部
１１…Ｕｕインターフェイス部
１２…Ｕｎインターフェイス部
１３…ＴＡ管理部
ＵＥ…移動局
２１…ＴＡ取得部
２２…状態管理部
２３…送信部
【図１】
2011142593.tif 000003
【図２】
2011142593.tif 000004
【図３】
2011142593.tif 000005
【図４】
2011142593.tif 000006